(57)【要約】【課題】同一エリアかつ同一周波数帯域に存在する２つの移動通信システムを、相互の干渉を抑えつつ円滑に共存させる。【解決手段】同一エリアの同一周波数帯域に存在し且つ共通の物理チャネルに関する規定を持ち上位レイヤの規定の全部又は一部が互換性のない２つのシステムの各々について、各種の報知情報が報知される報知タイミングを制御する無線制御局２０は、システム１についての各種の報知情報を固定のタイミングで報知するとともに、システム２についての各種の報知情報については、システム１の報知タイミングとずらしてスケジューリングされた報知タイミング情報を当該報知情報の一部の領域によって通知し、通知した当該報知タイミングでシステム２の報知情報を報知する。【選択図】  図３
2004349971.tif 000002
【特許請求の範囲】
【請求項１】
同一エリアの同一周波数帯域に存在し且つ共通の物理チャネルに関する規定を持ち上位レイヤの規定の全部又は一部が互換性のない２つの移動通信システムの各々について、各種の報知情報が報知される報知タイミングを制御する無線制御局であって、
一方の移動通信システムについての各種の報知情報を、予め定められたタイミングで報知し、他方の移動通信システムについての各種の報知情報については、前記一方の移動通信システムの報知タイミングとずらしてスケジューリングされた報知タイミング情報を当該報知情報の一部の領域によって通知し、通知した当該報知タイミングで当該他方の移動通信システムの報知情報を報知するよう制御する制御手段
を備えた無線制御局。
【請求項２】
前記制御手段は、
報知情報の優先度に応じて、報知情報の分割と当該報知情報の報知周期の変更のうち両方又は一方を行うことを特徴とする請求項１記載の無線制御局。
【請求項３】
同一エリアの同一周波数帯域に存在し且つ共通の物理チャネルに関する規定を持ち上位レイヤの規定の全部又は一部が互換性のない２つの移動通信システムの各々について、各種の報知情報が報知される報知タイミングを制御する無線制御局における報知情報送信方法であって、
一方の移動通信システムについての各種の報知情報を、予め定められたタイミングで報知するとともに、
他方の移動通信システムについての各種の報知情報については、
前記一方の移動通信システムの報知タイミングとずらしてスケジューリングされた報知タイミング情報を当該報知情報の一部の領域によって通知し、
通知した当該報知タイミングで当該他方の移動通信システムの報知情報を報知する、
ことを特徴とする報知情報送信方法。
【請求項４】
報知情報の優先度に応じて、報知情報の分割と当該報知情報の報知周期の変更のうち両方又は一方を行うことを特徴とする請求項３記載の報知情報送信方法。
【発明の詳細な説明】
【０００１】
【発明の属する技術分野】
本発明は、同一エリアの同一周波数帯域に存在し且つ共通の物理チャネルに関する規定を持ち上位レイヤの規定の全部又は一部が互換性のない２つの移動通信システムの各々について各種の報知情報が報知される報知タイミングを制御する無線制御局、及び当該無線制御局における報知情報送信方法に関する。
【０００２】
【従来の技術】
従来より、ＤＳ−ＣＤＭＡ移動通信システムにおいて、他網との接続をなす交換機は複数の無線制御局（Ｒａｄｉｏ  Ｎｅｔｗｏｒｋ  Ｃｏｎｔｒｏｌｌｅｒ：ＲＮＣ）と接続され、各無線制御局は複数の基地局（Ｂａｓｅ  Ｓｔａｔｉｏｎ：ＢＴＳ）を制御し、各基地局は複数のセル又は複数のクラスタを管理する。各セル又は各クラスタでは、在圏する移動局が待ち受けを行うのに必要な情報や接続後に有効となる情報等の各種の情報が周期的に報知されている（下記の非特許文献１を参照）。これらの情報は無線制御局で作成され、基地局を経由して移動局へ送信される。
【０００３】
図１には、従来方式における報知情報の一例が示されている。各報知情報では、各種の情報がどのようなタイミングで報知されるかを通知するための領域が、図１の領域Ａに示すように固定的に設定され、上記のタイミング情報は当該固定領域Ａで通知される。移動局は、これらの領域Ａで通知されるタイミング情報を入手することによって、各報知情報がどのタイミングで報知されるかの情報（図１にて矢印で示す時間的なポインター情報）を取得し、そして、待ち受けようとしているエリアに存在するセル又はクラスタにおいて、報知情報を入手する。
【０００４】
【非特許文献１】
３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｒａｄｉｏ  Ｒｅｓｏｕｒｃｅ  Ｃｏｎｔｒｏｌ  （ＲＲＣ）  ｐｒｏｔｏｃｏｌ  ｓｐｅｃｉｆｉｃａｔｉｏｎ  （Ｒｅｌｅａｓｅ  １９９９）
【０００５】
【発明が解決しようとする課題】
しかしながら、このような移動通信システムが、同一エリアの同一帯域に複数存在し、且つそれらのシステムが共通の物理チャネルに関する規定を持ち上位レイヤでほとんど互換性がない場合、これらの移動通信システムは、移動局に個別リソースを分け与えるまでは互いに干渉し合うおそれがあり、その他の互換性の種類によっては共存が不可能であった。
【０００６】
また、何らかの手段によって、移動局への個別リソース割当までに干渉を回避したとしても、報知情報は、各移動通信システム毎に時分割多重して送信する事になるが、報知情報の情報量が多い場合には、接続遅延が大きくなる等の弊害が発生し、移動通信システムにおける情報伝送効率が低下するおそれがあった。
【０００７】
本発明は、上記課題を解決するために為されたものであり、同一エリアかつ同一周波数帯域に存在する２つの移動通信システムを、相互の干渉を抑えつつ円滑に共存させることができる無線制御局及び報知情報送信方法を提供することを目的とする。
【０００８】
【課題を解決するための手段】
上記目的を達成するために、本発明に係る無線制御局は、同一エリアの同一周波数帯域に存在し且つ共通の物理チャネルに関する規定を持ち上位レイヤの規定の全部又は一部が互換性のない２つの移動通信システムの各々について、各種の報知情報が報知される報知タイミングを制御する無線制御局であって、一方の移動通信システムについての各種の報知情報を、予め定められたタイミングで報知し、他方の移動通信システムについての各種の報知情報については、前記一方の移動通信システムの報知タイミングとずらしてスケジューリングされた報知タイミング情報を当該報知情報の一部の領域によって通知し、通知した当該報知タイミングで当該他方の移動通信システムの報知情報を報知するよう制御する制御手段を備えたことを特徴とする。
【０００９】
また、本発明に係る報知情報送信方法は、同一エリアの同一周波数帯域に存在し且つ共通の物理チャネルに関する規定を持ち上位レイヤの規定の全部又は一部が互換性のない２つの移動通信システムの各々について、各種の報知情報が報知される報知タイミングを制御する無線制御局における報知情報送信方法であって、一方の移動通信システムについての各種の報知情報を、予め定められたタイミングで報知するとともに、他方の移動通信システムについての各種の報知情報については、前記一方の移動通信システムの報知タイミングとずらしてスケジューリングされた報知タイミング情報を当該報知情報の一部の領域によって通知し、通知した当該報知タイミングで当該他方の移動通信システムの報知情報を報知することを特徴とする。
【００１０】
これらの発明によれば、同一エリアの同一周波数帯域に存在し且つ共通の物理チャネルに関する規定を持ち上位レイヤの規定の全部又は一部が互換性のない２つの移動通信システムの各々について、各種の報知情報が報知される報知タイミングを制御する無線制御局において、一方の移動通信システムについての各種の報知情報は、予め定められたタイミングで報知される。他方の移動通信システムについての各種の報知情報については、一方の移動通信システムの報知タイミングとずらしてスケジューリングされた報知タイミング情報が当該報知情報の一部の領域によって通知され、当該通知された報知タイミングで当該他方の移動通信システムの報知情報は報知される。
【００１１】
このように一方の移動通信システムについての報知情報を予め定められたタイミングで報知することで、他方の移動通信システムについての報知情報の報知タイミングを上記一方の移動通信システムの報知タイミングとずらしてスケジューリングすることは容易となり、当該ずらしてスケジューリングされ通知された報知タイミングで他方の移動通信システムの報知情報を報知するため、２つの移動通信システムの相互の干渉を抑えることができる。また、報知情報の一部の領域によって通知するのは、他方の移動通信システムの報知タイミング情報だけで済むため、報知情報の情報量が多い場合でも、接続遅延が大きくなる等の弊害を防止し移動通信システムにおける情報伝送効率の低下を防止できる。
【００１２】
従って、本発明によれば、同一エリアかつ同一周波数帯域に存在する２つの移動通信システムを、相互の干渉を抑えつつ円滑に共存させることができる。
【００１３】
なお、前述した無線制御局の制御手段は、報知情報の優先度に応じて、報知情報の分割と当該報知情報の報知周期の変更のうち両方又は一方を行う構成とすることが望ましい。同様に、前述した報知情報送信方法でも、報知情報の優先度に応じて、報知情報の分割と当該報知情報の報知周期の変更のうち両方又は一方を行うことが望ましい。
【００１４】
これらの場合、報知情報の優先度に応じて送信の迅速さを制御することが可能となり、報知情報の優先度に応じた適切な報知情報送信制御を行うことができる。
【００１５】
【発明の実施の形態】
以下、本発明に係る無線制御局及び報知情報送信方法の実施形態について説明する。
【００１６】
図２はＤＳ−ＣＤＭＡ方式システムの構成例を示す。この図２に示すように、当該システムは、階層的に構成された交換機１０、無線制御局２０及び基地局３０により成る。即ち、他網との接続をなす交換機１０は複数の無線制御局２０と接続され、各無線制御局２０は複数の基地局３０を制御する。各基地局３０は複数のセル４０（又は複数のクラスタ）を管理する。
【００１７】
本実施形態では、同一エリアの同一周波数帯域に存在し且つ共通の物理チャネルに関する規定を持ち上位レイヤの規定の全部又は一部が互換性のない２つの移動通信システムが存在する。但し、図２の交換機１０、無線制御局２０及び基地局３０は、２つの移動通信システムともサポートする。また、各セル４０（又は各クラスタ）に在圏する移動局は、上記２つの移動通信システムのうち何れか一方のシステムをサポートしており、当該サポートするシステムについての待ち受け時に必要な情報や接続後に有効な情報等の各種の報知情報を周期的に受信する。各移動通信システムについての各種の報知情報は、無線制御局２０で作成され、基地局３０を経由して移動局へ報知される。なお、以下では、２つの移動通信システムをそれぞれ、システム１、システム２と称する。
【００１８】
図３は、本発明に関連する構成要素を示す。この図３に示すように、無線制御局２０は、システム１に向けての報知情報を作成するシステム１用報知情報作成部２１と、システム２に向けての報知情報を作成するシステム２用報知情報作成部２２と、上記システム１に向けての報知情報及びシステム２に向けての報知情報を合成する報知情報合成処理部２３とを備えている。基地局３０は、無線制御局２０によって作成された報知情報を、無線制御局２０によって指示されたとおりに周期的に送信する周期報知処理部３１を備えている。
【００１９】
システム２をサポートする移動局（以下「システム２用移動局」という）６０は、報知情報を取得する報知情報取得処理部６１と、報知情報で通知された各種情報の処理を行う複数の各種情報処理部６２とを備えている。一方、システム１をサポートする移動局（以下「システム１用移動局」という）５０は、上記同様の報知情報取得処理部５１及び複数の各種情報処理部５２とともに、システム１についての各種の情報が報知されるタイミング情報を固定的に記憶した固定スケジュール記憶部５３を備えている。
【００２０】
また、上記の固定スケジュール記憶部５３に記憶されたシステム１についての報知タイミング情報と同一の報知タイミング情報を記憶した固定スケジュール記憶部２３Ａが、無線制御局２０の報知情報合成処理部２３内に設けられている。
【００２１】
以下、本実施形態における処理動作を説明する。
【００２２】
まず、図４、図５を用いて無線制御局２０の処理動作を説明する。無線制御局２０は、システム１用の報知情報とシステム２用の報知情報を別々に作成する（図４のＳ０１、Ｓ０２）。次のＳ０３では、報知情報合成処理部２３が後述の合成処理（図５）を実行し、その後、合成された報知情報を基地局３０へ転送する（Ｓ０４）。
【００２３】
ここで、図５を用いて合成処理を説明する。まず、Ｓ１１では、報知情報合成処理部２３は、合成すべき報知情報のうち所定データ量の報知情報を取り出し、当該報知情報の内容の優先度をチェックする。例えば、迅速に接続するために必要な情報（発信時に利用する共通チャネルの情報、網の規制状態の情報、内容が頻繁に更新される事が予想される情報等）は優先度の高い情報とされ、周辺エリア情報やＧＰＳ機能に関する情報のような移動局の能力によっては不必要となるような情報は優先度の低い情報とされる。
【００２４】
Ｓ１２では報知情報の内容チェック結果に基づいて、当該報知情報が優先度の高い情報であるか否かを判断し、当該報知情報が優先度の高い情報でなければ（優先度の低い情報であれば）、Ｓ１３にて当該報知情報を複数（例えば２つ）の情報群に分割する。なお、当該報知情報が優先度の高い情報であれば、当該報知情報の分割は行わない。
【００２５】
Ｓ１４では、優先度の高い報知情報と、分割された優先度の低い報知情報の一部とを組み合わせた断片を作成するとともに、分割された優先度の低い報知情報の他の部分を一時記憶する。そして、Ｓ１５では、Ｓ１４で作成された断片をシステム毎に交互に報知し、且つ、固定スケジュール記憶部２３Ａ内のシステム１用報知タイミング情報に基づいてシステム１用報知情報の報知タイミングが当該システム１用報知タイミングに合致するよう、報知スケジュールを作成する。なお、ユーザ（管理者）によって、システム２用報知情報のスケジュールに関する外部データ（例えば、システム２用報知情報の報知周期や上記の断片作成における断片の間隔など）が設定され、報知情報合成処理部２３が当該外部データに従って報知スケジュールを作成する、といった実施態様を採用してもよい。
【００２６】
以後、Ｓ１６で全ての報知情報に対しＳ１１〜Ｓ１５の処理が完了したと判断されるまで、報知すべき残りの報知情報に対しＳ１１〜Ｓ１５の処理が繰り返される。このような合成処理によって、図６に示すように、報知情報はシステム１、２で交互に報知され、且つ、各システムにおいては、あるタイミングでは優先度の高い情報と優先度の低い情報の半分とを報知し、当該システムの次のタイミングでは優先度の高い情報と優先度の低い情報の残りの半分とを報知することとなる。これにより、報知情報の優先度に応じて送信の迅速さを制御することができ、報知情報の優先度に応じた適切な報知情報送信制御を行うことができる。また、システム１、２それぞれの報知タイミングを互いにずらしてスケジューリングすることができる。なお、上記のような処理を行う報知情報合成処理部２３は、本発明に係る制御手段に相当する。また、図６の矢印は、システム２向けの報知情報がどのタイミングで報知されるかの情報（時間的なポインター情報）を示している。
【００２７】
次に、基地局３０の動作であるが、基地局３０は、周期報知処理部３１によって、無線制御局２０により作成された報知情報を、無線制御局２０により指示されたとおりに周期的に送信するだけである。
【００２８】
次に、図７、図８を用いて移動局の動作を説明する。図７に示すように、システム１用移動局５０では、報知情報取得処理部５１が固定スケジュール記憶部５３より報知情報の報知タイミング情報を取得し（Ｓ２１）、当該報知タイミングでシステム１の報知情報を受信し、得られた報知情報より各種の情報を取得し（Ｓ２２）、そして、取得された各種の情報を各種情報処理部５２へ転送する（Ｓ２３）。各種情報処理部５２は、転送された各種の情報に対し所定の処理を実施する（Ｓ２４）。
【００２９】
一方、システム２用移動局６０では、報知情報取得処理部６１が、報知情報の所定領域（例えば図６の領域Ａ）にある報知タイミング情報を報知情報より取得し（Ｓ３１）、当該報知タイミングでシステム２の報知情報を受信し、得られた報知情報より各種の情報を取得し（Ｓ３２）、そして、取得された各種の情報を各種情報処理部５２へ転送する（Ｓ３３）。各種情報処理部６２は、転送された各種の情報に対し所定の処理を実施する（Ｓ３４）。
【００３０】
このようにシステム１用移動局５０は予め記憶された報知タイミングで、システム２用移動局６０は、システム１の報知タイミングとずらしてスケジューリングされ報知情報の所定領域（例えば図６の領域Ａ）に設定された報知タイミングで、それぞれのシステムの報知情報を受信し当該報知情報から各種の情報を取得することができる。
【００３１】
これにより、上記実施形態によれば、２つのシステムの相互の干渉を抑えることができ、また、報知情報の一部の領域によって通知するのは、システム２の報知タイミング情報だけで済むため、報知情報の情報量が多い場合でも、接続遅延が大きくなる等の弊害を防止し各システムにおける情報伝送効率の低下を防止できる。このようにして、同一エリアかつ同一周波数帯域に存在する２つのシステムを、相互の干渉を抑えつつ円滑に共存させることができる。
【００３２】
【発明の効果】
以上説明したように、本発明によれば、一方の移動通信システムについての報知情報を予め定められたタイミングで報知することで、他方の移動通信システムについての報知情報の報知タイミングを上記一方の移動通信システムの報知タイミングとずらしてスケジューリングすることは容易となり、当該ずらしてスケジューリングされ通知された報知タイミングで他方の移動通信システムの報知情報を報知するため、２つの移動通信システムの相互の干渉を抑えることができる。また、報知情報の一部の領域によって通知するのは、他方の移動通信システムの報知タイミング情報だけで済むため、報知情報の情報量が多い場合でも、接続遅延が大きくなる等の弊害を防止し移動通信システムにおける情報伝送効率の低下を防止できる。このようにして、同一エリアかつ同一周波数帯域に存在する２つの移動通信システムを、相互の干渉を抑えつつ円滑に共存させることができる。
【図面の簡単な説明】
【図１】従来方式における報知情報の一例を示す図である。
【図２】発明の実施形態におけるＤＳ−ＣＤＭＡ方式システムの構成図である。
【図３】本発明に関連する構成要素を示す図である。
【図４】無線制御局における報知情報送信処理を示す流れ図である。
【図５】無線制御局の報知情報合成処理部における合成処理を示す流れ図である。
【図６】合成処理後の報知情報の一例を示す図である。
【図７】システム１をサポートする移動局における報知情報受信処理を示す流れ図である。
【図８】システム２をサポートする移動局における報知情報受信処理を示す流れ図である。
【符号の説明】
１０…交換機、２０…無線制御局、２１…システム１用報知情報作成部、２２…システム２用報知情報作成部、２３…報知情報合成処理部、２３Ａ…固定スケジュール記憶部、３０…基地局、３１…周期報知処理部、４０…セル、５０…システム１用移動局、５１…報知情報取得処理部、５２…各種情報処理部、５３…固定スケジュール記憶部、６０…システム２用移動局、６１…報知情報取得処理部、６２…各種情報処理部。
【図１】
2004349971.tif 000003
【図２】
2004349971.tif 000004
【図３】
2004349971.tif 000005
【図４】
2004349971.tif 000006
【図５】
2004349971.tif 000007
【図６】
2004349971.tif 000008
【図７】
2004349971.tif 000009
【図８】
2004349971.tif 000010